(57)【要約】    【課題】ペットボトル、ビン、水筒等のボトルを洗浄した場合に、大きさ・形状に関わりなく、ボトルを安定的に立てることが出来、ボトルを衛生的に、水切りして乾燥させることが出来るボトル立ての提供。    【解決手段】鋼又はステンレス製の針金からなるボトル立て１は、基部２と、６本の支持部３とを備える。基部２は、２本の短軸部２ａと、２本の長軸部２ｂとを備える。短軸部２ａは両端部に脚部２ｃを備えており、この脚部２ｃにより短軸部２ａは１〜２ｃｍの高さを有する。この短軸部２ａ間に、長軸部２ｂが２本、横架されている。短軸部２ａと長軸部２ｂとの４箇所の接続部、及び各長軸部２ｂの中央部には、棒状の支持部３が立設されている。各支持部３の先端部３ａは、内側に折り返されている。２本のペットボトル４は、その口部４ａを基部２に突き当てた状態で、逆向きに立てられる。【選択図】図２
2006212176.tif 000002
【特許請求の範囲】
【請求項１】
基部と、
可撓性を有する材料からなり、上記基部に棒状に立設されており、ボトルが被せられて支持される、１又は２以上のボトル支持部と
を備えており、
上記ボトル支持部の底部又は上記基部に、上記ボトルの口が突き当たった状態で、ボトルが上記ボトル支持部に被せられるように構成されているボトル立て。
【請求項２】
上記ボトル支持部の先端部が丸められている、又は上記先端部に保護部が設けられている請求項１に記載のボトル立て。
【発明の詳細な説明】
【技術分野】
【０００１】
本発明は、ペットボトル、牛乳ビン，調味料入れ，ワインボトル等のビン、水筒等のボトルを洗浄した場合に、水切りして乾燥させるためのボトル立てに関する。
【背景技術】
【０００２】
従来のコップを立てるためのコップ立ては、基部と、基部に立設された複数の支持部とを備えており、支持部の先端部は幅広に構成されている。このコップ立てにおいては、逆向きにしたコップの底面の内側を、この幅広の部分に当接させて、コップが宙に浮いた状態で立てられる。
【発明の開示】
【発明が解決しようとする課題】
【０００３】
近年、市販のペットボトルを飲んだ後に、このペットボトルを洗浄して、中に自家製の麦茶等を入れ、これを断熱性の包装材に入れて、水筒代わりに使用することがよく行われている。この場合、洗浄後のペットボトルをよく乾燥させないと細菌が繁殖するおそれがある。また、この場合に限らず、ペットボトル、ビン、水筒等を再使用、再利用する場合、内側までよく洗浄して、よく乾燥させなければならない。
【０００４】
ペットボトルの乾燥のために、上記従来のコップ立てを使用することが考えられるが、コップ立てが木製である場合、ペットボトルを立てて水切りをするのには不適切である。コップ立てが金属製であれば水切りは可能であるが、前述したように、従来のコップ立ては先端部が後端部より幅広となるように構成されており、ペットボトルの口が狭いので、ペットボトルを立てることが出来ないという問題がある。そのため、調理台やテーブルに直接ペットボトルを立てて乾燥させることにすると、ペットボトルは口から直接飲むものであるので、衛生上、問題がある。
【０００５】
また、ビン等の場合、上記従来のコップ立てに立てることが出来るが、前述したように宙に浮かせるので不安定であり、それに加えて、大きいものを隣接させて複数本、立てることが出来ないという問題がある。
【０００６】
本発明の目的は、ペットボトル、ビン、水筒等のボトルを洗浄した場合に、大きさ・形状に関わりなく、ボトルを安定的に立てることが出来、ボトルを衛生的に、水切りして乾燥させることが出来るボトル立ての提供にある。
【課題を解決するための手段】
【０００７】
本発明に係るボトル立ては、
（１）基部
及び
（２）可撓性を有する材料からなり、基部に棒状に立設されており、ボトルが被せられて支持される、１又は２以上のボトル支持部
を備えており、ボトル支持部の底部又は基部に、ボトルの口が突き当たった状態で、ボトルがボトル支持部に被せられるように構成されている。
【０００８】
好ましくは、上記支持部の先端部が丸められている、又は上記先端部に保護部が設けられている。
【発明の効果】
【０００９】
本発明のボトル立てによれば、可撓性を有する材料からなり、金属、プラスチック等の材料からなるので、木製の場合と異なり、洗浄したボトルの水切りを行うことが出来る。ボトルの口はボトル支持部の底部又は基部に突き当てられているので、ボトルは衛生的に乾燥され得る。そして、ボトル支持部の底部及び基部でボトルの口を支持する構造であるので、口が狭いボトルも立てられ、ボトルを安定的に支持することが出来る。そして、ボトル支持部を傾けることで大きいボトルを立てることが出来、大きいボトルを隣接させて複数本、立てることが可能である。
【００１０】
ボトル支持部の先端部が丸められている、又は上記先端部に保護部が設けられている場合においては、ボトルの内部が傷つけられるのが防止される。
【発明を実施するための最良の形態】
【００１１】
以下、適宜図面が参照されつつ、好ましい実施形態に基づいて本発明が詳細に説明される。
【００１２】
図１は、本発明の一実施形態に係るボトル立て１が示された斜視図である。このボトル立て１は、鋼又はステンレス製の針金からなり、基部２と、６本の支持部３とを備える。
【００１３】
基部２は、２本の短軸部２ａと、２本の長軸部２ｂとを備える。短軸部２ａは両端部に脚部２ｃを備えており、この脚部２ｃにより短軸部２ａは１〜２ｃｍの高さを有する。この２本の短軸部２ａ間に、長さ１４ｃｍの長軸部２ｂが２本、横架されている。２本の長軸部２ｂの間隔は７ｃｍである。
【００１４】
短軸部２ａと長軸部２ｂとの４箇所の接続部、及び各長軸部２ｂの中央部には、長さが１０ｃｍで棒状の支持部３が立設されている。各支持部３の先端部３ａは、内側に折り返されて、丸められている。
【００１５】
図２は、５００ｍｌ入りのペットボトル４が図１のボトル立て１に立てられた状態が示された斜視図である。２本のペットボトル４は、その口部４ａを、基部２に突き当てた状態で、逆向きに立てられている。
【００１６】
図３は、１リットル入りのペットボトル５が図１のボトル立て１に立てられた状態が示された斜視図である。２本のペットボトル５は、適宜の角度、外側に傾けられた、２本の支持部３に、その口部５ａを基部２に突き当てた状態で、逆向きに立てられている。
【００１７】
本実施形態のボトル立て１は、鋼又はステンレス製の針金からなるので、木製の場合と異なり、水切りを行うのに適切である。短軸部２ａ及び長軸部２ｂは１〜２ｃｍの高さを有するので、この短軸部２ａ及び長軸部２ｂに突き当てられた、ペットボトル４の口部４ａ及びペットボトル５の口部５ａは高さ１〜２ｃｍの位置にあり、衛生的に乾燥され得る。
【００１８】
そして、支持部３の底部及び基部２で、ペットボトル４の口部４ａ及びペットボトル５の口部５ａが支持される構造であり、従来のコップ立てのように先端部が幅広である場合と異なるので、口部４ａ及び口部５ａの幅が狭いときにおいてもペットボトル４及びペットボトル５は立てられることが出来、安定的に支持され得る。
【００１９】
また、前述したように、支持部３が傾けられることで、容量が大きいペットボトル５も立てられることが出来、容量が大きいペットボトル５が隣接させて複数本、立てられ得る。さらに、支持部３は先端部３ａで折り返されており、丸められているので、ペットボトル４及びペットボトル５が支持部３に立てられるときに、その内部が傷つけられるのが防止されている。
【００２０】
上記実施形態においては、ペットボトル立て１が鋼又はステンレス製の針金からなる場合につき説明しているがこれに限定されるものではなく、可撓性を有する材料であればよく、プラスチック製でもよい。また、ペットボトル立て１の寸法及び支持部３の個数は、上記実施形態において説明したものに限定されない。そして、基部２は枠状である場合に限定されず、板状であってもよい。
【００２１】
図４は、本発明の他の実施形態に係るボトル立て１１が示された斜視図である。このボトル立て１１は、鋼又はステンレス製の針金からなり、基部１２と、複数本の支持部１３とを備える。
【００２２】
基部１２は、短辺部１２ａが中央側で盛り上がった、矩形枠状であり、短辺部１２ａの中央側には２本の長軸部１２ｂが横架されている。短辺部１２ａの中央部には、棒状の支持部１３が立設されている。支持部１３の先端部には、ゴム製で球状の保護部１３ａが被せられている。２本の長軸部１２ｂ間には、６箇所、短軸部１２ｃが架け渡されている。短軸部１２ｃの両端部は、長軸部１２ｂから外側に張り出しており、この両端部から棒状の支持部１３が立設されている。支持部１３の長さは、複数種類、設けられている。
【００２３】
図５は、５００ｍｌ入りのペットボトル１４、１リットル入りのペットボトル１５、及び２リットル入りのペットボトル１６が図４のボトル立て１１に立てられた状態が示された斜視図である。ペットボトル１４、ペットボトル１５及びペットボトル１６は、その口部を支持部１３の底部に突き当てた状態で、逆向きに立てられている。
【００２４】
前述したように、支持部１３は、長さの異なるものが複数種類あり、各別にその傾斜角度を変えることが出来るので、このボトル立て１１は、大きさが異なるペットボトルを隣接させて、複数本、立てることが出来る。
【産業上の利用可能性】
【００２５】
本発明は、ペットボトル、牛乳ビン，調味料入れ，ワインボトル等のビン、水筒等のボトルを洗浄した場合に、水切りして乾燥させるために適用される。
【図面の簡単な説明】
【００２６】
【図１】図１は、本発明の一実施形態に係るボトル立てが示された斜視図である。
【図２】図２は、５００ｍｌ入りのペットボトルが図１のボトル立てに立てられた状態が示された斜視図である。
【図３】図３は、１リットル入りのペットボトルが図１のボトル立てに立てられた状態が示された斜視図である。
【図４】図４は、本発明の他の実施形態に係るボトル立てが示された斜視図である。
【図５】図５は、５００ｍｌ入りのペットボトル、１リットル入りのペットボトル、及び２リットル入りのペットボトルが図４のボトル立てに立てられた状態が示された斜視図である。
【符号の説明】
【００２７】
１・・・ボトル立て
２・・・基部
３・・・支持部
３ａ・・・先端部
４・・・ペットボトル
５・・・ペットボトル
１１・・・ボトル立て
１２・・・基部
１３・・・支持部
１３ａ・・・保護部
１４・・・ペットボトル
１５・・・ペットボトル
１６・・・ペットボトル
【図１】
2006212176.tif 000003
【図２】
2006212176.tif 000004
【図３】
2006212176.tif 000005
【図４】
2006212176.tif 000006
【図５】
2006212176.tif 000007